(57)【要約】【課題】ＵＳＢ充電器の接続判定を可能にしながらも電子機器との間で使用する端子の数を削減することができる充電台を得る。【解決手段】ＵＳＢ充電規格の通信用端子（Ｄ−，Ｄ＋）の通電状態を検出することで、ＵＳＢ充電器１１０の接続判定を行う充電器判定部１７と、充電器判定部１７がＵＳＢ充電器１１０の接続を判定した場合にその旨を機械的に携帯端末５０に伝える接続通知部１８とを備える。これにより、ＵＳＢ充電器１１０の接続判定を可能にしながらも充電台１と携帯端末５０の双方で通信用の端子（Ｄ−，Ｄ＋）を省くことができ、コストの削減や小型化が可能となり、さらにデザイン的にも良くすることができる。【選択図】図１
2011217513.tif 000002
【特許請求の範囲】
【請求項１】
電子機器の充電台であって、
充電器からの電源の供給に用いられる電源ラインの端子と、前記充電器の認証に用いる通信ラインの端子のそれぞれと接続するための入力端子と、
電源ラインの前記入力端子と接続された出力側端子と、
通信ラインの前記入力端子を介して、正規の充電器が前記充電台に接続されたか否かを判定する充電器判定部と、
前記充電器判定部によって正規の充電器が前記充電台に接続されたと判定された場合、前記通信ラインからの信号を前記電子機器に伝達しない通知方法で、前記正規の充電器が充電台に接続された旨を前記電子機器に通知する接続通知部とを備える、
充電台。
【請求項２】
前記接続通知部は、
前記充電台によって充電が行われるべき電子機器が受け取ることができ、前記充電台によって充電が行われるべきでない電子機器が受け取ることができない通知方法で、前記前記正規の充電器が充電台に接続された旨を前記電子機器に通知する、
請求項１記載の充電台。
【請求項３】
前記通知方法は、前記電子機器に備えられたスイッチを動かすことであり、
前記接続通知部は、
前記充電台によって充電が行われるべき電子機器が前記充電台に設置された場合に、前記電子機器が備えるスイッチの可動接点に近接する位置に配置される電磁石を更に有し、
前記接続通知部は、
前記充電器判定部が、前記充電器が接続されたと判定した場合、前記電磁石に通電を行う、
請求項２記載の充電台。
【請求項４】
前記通知方法は、前記充電台からの発光であり、
前記接続通知部は、
前記充電台によって充電が行われるべき電子機器が前記充電台に設置された場合に、前記電子機器が備える受光部に近接する位置に配置された発光部を更に有し、
前記接続通知部は、
前記充電器判定部が前記正規の充電器が接続されたと判定した場合、前記発光部からの発光により、前記正規の充電器が接続された旨を通知する、
請求項２記載の充電台。
【請求項５】
前記通知方法は、前記充電台からの無線通信であり、
前記接続通知部は、
前記充電台によって充電が行われるべき電子機器は前記正規の充電器が接続された旨の通信であると認識可能であるが、前記充電台によって充電が行われるべきでない電子機器は前記正規の充電器が接続された旨の通信であると認識できない信号を無線通信することにより、前記正規の充電器が接続された旨を通知する、
請求項２記載の充電台。
【請求項６】
前記通知方法は、前記充電台からの音声の出力であり、
前記接続通知部は、
前記充電台によって充電が行われるべき電子機器は前記正規の充電器が接続された旨の通信であると認識可能であるが、前記充電台によって充電が行われるべきでない電子機器は前記正規の充電器が接続された旨の通信であると認識できない音声を出力することにより、前記正規の充電器が接続された旨を通知する、
請求項２記載の充電台。
【請求項７】
前記出力側端子は、電源ラインの前記入力端子とスイッチを介して接続されており、
前記充電許可部は、
前記充電器判定部によって正規の充電器が前記充電台に接続されたと判定された場合に、前記正規の充電器が充電台に接続された旨を前記電子機器に通知を行って前記スイッチを閉状態にし、前記正規の充電器が前記充電台に接続されたと判定されなかったと判定された場合に前記通知を行わない第１の動作モードと、
前記充電器判定部によって正規の充電器が前記充電台に接続されたと判定された場合に、前記正規の充電器が充電台に接続された旨を前記電子機器に通知せずに、前記スイッチを閉状態にし、前記正規の充電器が前記充電台に接続されたと判定されなかった場合に前記スイッチを開状態にする第２の動作モードとの、
いずれのモードで動作するかを前記電子機器からの指示に応じて切り替える、
請求項１記載の充電台。
【請求項８】
電子機器の充電台であって、
充電器からの電源の供給に用いられる電源ラインの端子と、前記充電器の認証に用いる通信ラインの端子のそれぞれと接続するための入力端子と、
電源ラインの前記入力端子とスイッチを介して接続された出力側端子と、
通信ラインの前記入力端子を介して、正規の充電器が充電台に接続されたか否かを判定する充電器判定部と、
前記充電器判定部によって、前記正規の充電器が充電台に接続されたと判定された場合に前記スイッチを閉状態にし、前記 正規の充電器が前記充電台に接続されたと判定されなかった場合に前記スイッチを開状態にする充電許可部とを備える、
充電台。
【請求項９】
前記充電許可部は、前記電子機器から、前記スイッチを閉状態にする許可がない場合には、前記充電器判定部によって、前記正規の充電器が充電台に接続されたと判定された場合であっても、前記スイッチを開状態にする、
請求項８記載の充電台。
【請求項１０】
請求項１乃至請求項４のいずれか１項に記載の充電台を介して充電池を充電する電子機器であって、
前記出力側端子と接続するための入力端子と、
前記充電台から、前記正規の充電器が充電台に接続された旨の通知を受けると、前記充電池の充電を許可し、前記正規の充電器が充電台に接続された旨の通知を受けなければ前記充電池の充電を拒否する充電許可部とを備える、
電子機器。
【発明の詳細な説明】
【技術分野】
【０００１】
本発明は、ＵＳＢ(Universal Serial Bus)充電規格の充電器に用いて好適な充電台、及び電子機器に関する。
【背景技術】
【０００２】
例えば携帯電話などの携帯端末の充電においては、専用の充電台を介して充電器と接続する場合がある。また、近年、携帯端末に充電においてもＵＳＢ充電規格のＡＣアダプタが採用されるようになってきている。ＵＳＢ充電規格では、”Battery Charging Specification Rev1.1”に示されているように、電源ライン（Ｖ＿ＢＵＳ，ＧＮＤ）の他に、通信ライン（Ｄ＋，Ｄ−）を使用して、携帯端末が正規のＡＣアダプタの接続を判定するようにしている。
【０００３】
図６は、ＵＳＢ充電規格のＡＣアダプタ１００を使用し、従来の充電台２００を介して携帯端末３００に充電を行う場合の接続関係を示す図である。また、図７は、充電台２００と携帯端末３００を示す斜視図である。
【０００４】
図６において、ＵＳＢ充電規格のＡＣアダプタ１００に接続されたＵＳＢコネクタ１０１は、電源ラインの端子（Ｖ＿ＢＵＳ、ＧＮＤ）１０２，１０３及び通信ラインの端子（Ｄ−，Ｄ＋）１０４，１０５と、通信ラインの端子１０４，１０５間に接続されたＵＳＢ充電規格で規定された２００Ω以下の抵抗１０６とを有する。なお、ＡＣアダプタ１００とＵＳＢコネクタ１０１はＵＳＢ充電器１１０を構成する。
【０００５】
充電台２００は、ＵＳＢコネクタ１０１と接続するためのＵＳＢ型式の入力端子２０１〜２０４と携帯端末３００と接続するための出力端子２０５〜２０８とを有する。携帯端末３００と接続するための４つの出力端子２０５〜２０８は、図７の斜視図に示すように携帯端末３００と接触する面側に露出した状態で配置される。充電台２００は携帯端末３００専用のものであり、携帯端末３００を隙間無く収容できる構造を有している。
【０００６】
図６に戻り、携帯端末３００は、充電台２００と接続するための入力端子３０１〜３０４と、充電器判定回路３０５と、充電許可回路３０６と、電源ラインに直列に介挿されたスイッチ３０７とを有している。充電台２００と接続するための４つの入力端子３０１〜３０４は、図７の斜視図に示すように充電台２００と接触する面側に露出した状態で配置される。充電器判定回路３０５は、入力端子３０３、３０４間のＵＳＢ充電規格で規定された２００Ω以下の短絡を検出することで、ＵＳＢ充電器１１０の接続を判定する。この判定は、単にＵＳＢ充電器１１０が接続されたか否かの判定ではなく、ＵＳＢ規格に準拠した正規の充電器が接続されているか否かの判定である。すなわち、検出した抵抗値が２００Ω以下でなければ、ＵＳＢ規格に準拠していない不正な充電器が接続されたこと判定できる。充電許可回路３０６は、充電器判定部３０５がＵＳＢ充電器１１０の接続を判定した場合にスイッチ３０７を閉状態にして充電池３０８を充電する。
【０００７】
このようにＵＳＢ充電規格の採用によって、充電台２００及び携帯端末３００にはＵＳＢ充電器１１０の接続を認証するための通信ラインの端子（Ｄ−，Ｄ＋）が必要となる。なお、このような充電や通信のための多数の端子を有する例として特許文献１に記載されたものが知られている。
【先行技術文献】
【特許文献】
【０００８】
【特許文献１】特開２００９−０２２１３０号公報
【発明の概要】
【発明が解決しようとする課題】
【０００９】
しかしながら、ＵＳＢ充電規格を採用することで、充電台と携帯端末等の電子機器のそれぞれに４つの端子（Ｖ＿ＢＵＳ、ＧＮＤ，Ｄ−，Ｄ＋）を設ける必要があるため、コストアップや小型化の障害になるだけでなく、デザイン的にも好ましくないという課題がある。なお、図８に示すように、ＵＳＢコネクタ５１０を充電台５００に設けて、充電台５００に携帯端末４００を載置することで接続する方法や、図９に示すように、ＵＳＢコネクタ５２１を取付けたケーブル５２０を携帯端末４００に直接接続する方法があるが、着脱が容易でなく利便性が悪いことと、コネクタの耐久性が心配されるなど、好ましくない。
【００１０】
本発明は係る事情に鑑みてなされたものであり、ＵＳＢ充電器のような接続判定用と充電用とで異なるラインを有する接続方式において、接続判定を可能にしながらも電子機器との間で使用する端子の数を削減することができる充電台及び電子機器を提供することを目的とする。
【課題を解決するための手段】
【００１１】
本発明は、電子機器の充電台であって、充電器からの電源の供給に用いられる電源ラインの端子と、前記充電器の認証に用いる通信ラインの端子のそれぞれと接続するための入力端子と、電源ラインの前記入力端子と接続された出力側端子と、通信ラインの前記入力端子を介して、正規の充電器が前記充電台に接続されたか否かを判定する充電器判定部と、前記充電器判定部によって正規の充電器が前記充電台に接続されたと判定された場合、前記通信ラインからの信号を前記電子機器に伝達しない通知方法で、前記正規の充電器が充電台に接続された旨を前記電子機器に通知接続通知部とを備える。
上記構成によれば、ＵＳＢ充電規格の充電器を充電台に接続すると、充電台の充電器判定部が正規の充電器が接続されたか否かを判定し、その結果を電子機器に通知する。ここで、電子機器への通知は、通信ラインからの信号を伝達しない通知方法によって行うので、充電台と電子機器の双方において通信ライン（ＵＳＢ規格では、Ｄ＋，Ｄ−）の端子が不要となる。したがって、ＵＳＢ規格等の充電器の接続判定を可能にしながらも電子機器との間で使用する端子の数を削減することができ、コストの削減や小型化が可能となり、さらにデザイン的にも良くすることができる。
【００１２】
上記充電台では、前記接続通知部は、前記充電台によって充電が行われるべき電子機器が受け取ることができ、前記充電台によって充電が行われるべきでない電子機器が受け取ることができない通知方法で、前記前記正規の充電器が充電台に接続された旨を前記電子機器に通知する。
上記構成によれば、充電台と電子機器との組み合わせが適切でなくては電子機器は通知を受け取ることができないので、不正な充電台からの通知に応じて充電が開始するような危険を防ぐことができる。
【００１３】
上記充電台では、前記通知方法は、前記通知方法は、前記電子機器に備えられたスイッチを動かすことであり、前記接続通知部は、前記充電台によって充電が行われるべき電子機器が前記充電台に設置された場合に、前記電子機器が備えるスイッチの可動接点に近接する位置に配置される電磁石を更に有し、前記接続通知部は、前記充電器判定部が、前記充電器が接続されたと判定した場合、前記電磁石に通電を行う。
上記構成によれば、スイッチの可動接点と電磁石の位置が離れている場合には、電子機器に対して通知が行われない。したがって、充電台と電子機器との組み合わせが適切でない場合には電子機器は通知を受け取ることができないようにすることができる。
【００１４】
上記充電台では、前記通知方法は、前記充電台からの発光であり、前記接続通知部は、前記充電台によって充電が行われるべき電子機器が前記充電台に設置された場合に、前記電子機器が備える受光部に近接する位置に配置された発光部を更に有し、前記接続通知部は、前記充電器判定部が前記正規の充電器が接続されたと判定した場合、前記発光部からの発光により、前記正規の充電器が接続された旨を通知する。
上記構成によれば、充電台からの発光部と電子機器の受光部が離れている場合には、電子機器に対して通知が行われない。したがって、充電台と電子機器との組み合わせが適切でない場合には電子機器は通知を受け取ることができないようにすることができる。
【００１５】
上記充電台では、前記通知方法は、前記充電台からの無線通信であり、前記接続通知部は、前記充電台によって充電が行われるべき電子機器は前記正規の充電器が接続された旨の通信であると認識可能であるが、前記充電台によって充電が行われるべきでない電子機器は前記正規の充電器が接続された旨の通信であると認識できない信号を無線通信することにより、前記正規の充電器が接続された旨を通知する。
上記構成によれば、正規の充電器が接続された旨の通信であると認識可能な信号を無線通信することにより通知が行われる。したがって、充電台と電子機器との組み合わせが適切でない場合には電子機器は通知を受け取ることができないようにすることができる。
【００１６】
上記充電台では、前記通知方法は、前記充電台からの音声の出力であり、前記接続通知部は、前記充電台によって充電が行われるべき電子機器は前記正規の充電器が接続された旨の通信であると認識可能であるが、前記充電台によって充電が行われるべきでない電子機器は前記正規の充電器が接続された旨の通信であると認識できない音声を出力することにより、前記正規の充電器が接続された旨を通知する。
上記構成によれば、正規の充電器が接続された旨の通信であると認識可能な音声を出力することにより通知が行われる。したがって、充電台と電子機器との組み合わせが適切でない場合には電子機器は通知を受け取ることができないようにすることができる。
【００１７】
上記充電台では、前記出力側端子は、電源ラインの前記入力端子とスイッチを介して接続されており、前記充電許可部は、前記充電器判定部によって正規の充電器が前記充電台に接続されたと判定された場合に、前記正規の充電器が充電台に接続された旨を前記電子機器に通知を行って前記スイッチを閉状態にし、前記正規の充電器が前記充電台に接続されたと判定されなかったと判定された場合に前記通知を行わない第１の動作モードと、前記充電器判定部によって正規の充電器が前記充電台に接続されたと判定された場合に、前記正規の充電器が充電台に接続された旨を前記電子機器に通知せずに、前記スイッチを閉状態にし、前記正規の充電器が前記充電台に接続されたと判定されなかった場合に前記スイッチを開状態にする第２の動作モードとのいずれのモードで動作するかを前記電子機器からの指示に応じて切り替える。
上記構成によれば、充電台自身がスイッチを電子機器まで通電を行うか否かを切り替えられるスイッチを備えており、充電台自身の判定によって通電自体を行うか否かを切り替わるモード（第１のモード）と、通電は行うものの通電した電力を充電に用いるか否かの判断は電子機器に任せるモード（第２のモード）を、電子機器からの指示によって切り替えることができる。
【００１８】
また、本発明は、電子機器の充電台であって、充電器からの電源の供給に用いられる電源ラインの端子と、前記充電器の認証に用いる通信ラインの端子のそれぞれと接続するための入力端子と、電源ラインの前記入力端子とスイッチを介して接続された出力側端子と、通信ラインの前記入力端子を介して、正規の充電器が充電台に接続されたか否かを判定する充電器判定部と、前記充電器判定部によって、前記正規の充電器が充電台に接続されたと判定された場合に前記スイッチを閉状態にし、前記 正規の充電器が前記充電台に接続されたと判定されなかった場合に前記スイッチを開状態にする充電許可部とを備える。
上記構成によれば、ＵＳＢ規格等の充電器を充電台に接続すると、充電台の充電器判定部が充電器の接続を判定し、充電器判定部が充電器の接続を判定することで、充電許可部がスイッチをオン状態にして携帯端末へ充電電圧を供給するので、充電台と電子機器の双方において通信ライン（ＵＳＢ規格の場合は、Ｄ＋，Ｄ−）の端子が不要となる。したがって、ＵＳＢ規格の充電器の接続判定を可能にしながらも電子機器との間で使用する端子の数を削減することができ、コストの削減や小型化が可能となり、さらにデザイン的にも良くすることができる。
【００１９】
上記充電台では、前記充電許可部は、前記電子機器から、前記スイッチを閉状態にする許可がない場合には、前記充電器判定部によって、前記正規の充電器が充電台に接続されたと判定された場合であっても、前記スイッチを開状態にする。
上記構成によれば、電子機器からの承認がなければ、充電台のみでの判定によって充電を行うか否かを切り替えるような処理は行えないようにすることができる。
【００２０】
また、本発明は、前記出力側端子と接続するための入力端子と、前記充電台から、前記正規の充電器が充電台に接続された旨の通知を受けると、前記充電池の充電を許可し、前記正規の充電器が充電台に接続された旨の通知を受けなければ前記充電池の充電を拒否する充電許可部とを備える電子機器を提供する。
【００２１】
この構成によれば、電子機器は、充電器が正規のものであるか否かの判定を充電台に一任し、その結果に応じて充電を許可するか否かを決定する。これにより通信ライン（Ｄ＋，Ｄ−）の端子が不要となるので、コストの削減や小型化が可能となり、さらにデザイン的にも良くすることができる。
【発明の効果】
【００２２】
本発明に係る充電台によれば、ＵＳＢ充電器等の接続認証を可能にしながらも、電子機器との間で使用する端子の数を削減することができるので、コストダウンや小型化が可能となり、さらにデザイン的にも良くすることができる。
また、本発明に係る電子機器によれば、電子機器において通信ライン（ＵＳＢ規格では、Ｄ＋，Ｄ−）の端子が不要となるので、コストの削減や小型化が可能となり、さらにデザイン的にも良くすることができる。
【図面の簡単な説明】
【００２３】
【図１】実施の形態１に係る充電台の概略構成と携帯端末の概略構成及びＡＣアダプタに接続されたＵＳＢコネクタの概略構成を示す図
【図２】図１の充電台を携帯端末の概観を示す斜視図
【図３】図１の充電台の具体的な構成例を示す回路図
【図４】本発明の実施の形態２に係る充電台の概略構成と携帯端末の概略構成及びＡＣアダプタに接続されたＵＳＢコネクタの概略構成を示す図
【図５】本発明の実施の形態３に係る充電台の概略構成と携帯端末の概略構成及びＡＣアダプタに接続されたＵＳＢコネクタの概略構成を示す図
【図６】ＵＳＢ充電規格のＡＣアダプタを使用し、従来の充電台を介して携帯端末に充電を行う場合の接続関係を示す図
【図７】図６の充電台及び携帯端末の概観を示す斜視図
【図８】従来の充電台と携帯端末のＵＳＢ接続による問題点を説明するための図
【図９】従来の充電台と携帯端末のＵＳＢ接続による問題点を説明するための図
【発明を実施するための形態】
【００２４】
以下、本発明を実施するための実施の形態について、図面を参照して詳細に説明する。
【００２５】
（実施の形態１）
図１は、実施の形態１に係る充電台の概略構成と携帯端末の概略構成及びＡＣアダプタに接続されたＵＳＢコネクタの概略構成を示す図である。なお、同図において前述した図６と共通する部分には同一の符号を付けている。
【００２６】
図１において、本実施の形態の充電台１は、ＵＳＢ規格の充電器（以下、”ＵＳＢ充電器”と呼ぶ）１１０のＵＳＢコネクタ１０１の出力端子１０２〜１０５と接続するためのＵＳＢ型式の入力端子１１〜１４と、携帯端末５０の入力端子５１，５２と接続するための出力端子１５，１６と、ＵＳＢ充電器１１０の接続を判定する充電器判定部１７と、充電器判定部１７でＵＳＢ充電器１１０の接続が判定された場合に、その旨を携帯端末５０に通知する接続通知部１８とを有する。
【００２７】
充電台１の入力端子１１は、ＵＳＢコネクタ１０１の出力端子１０２とＶ＿ＢＵＳラインで接続され、充電台１の入力端子１２は、ＵＳＢコネクタ１０１の出力端子１０３とＧＮＤラインで接続される。また、充電台１の入力端子１３は、ＵＳＢコネクタ１０１の出力端子１０４とＤ−ラインで接続され、充電台１の入力端子１４は、ＵＳＢコネクタ１０１の出力端子１０５とＤ＋ラインで接続される。また、充電台１の出力端子１５は、携帯端末５０の入力端子５１と直接接続され、充電台１の出力端子１６は、携帯端末５０の入力端子５２と直接接続される。
【００２８】
図２は、充電台１と携帯端末５０を示す斜視図である。この図に示すように、充電台１の出力端子１５，１６は、携帯端末５０の端子配置側面５０Ａと接触する面（端子配置側面）１Ａ上に配置される。携帯端末５０の入力端子５１，５２は、端子配置側面５０Ａ上で充電台１の出力端子１５，１６と対向する位置に配置される。充電台１に携帯端末５０を置くことで、携帯端末５０の入力端子５１，５２と充電台１の出力端子１５，１６とが接触し、電気的に導通状態となる。なお、充電台１は携帯端末５０専用のものであり、携帯端末５０のみを収容できる構造になっているので、携帯端末５０の入力端子５１，５２と充電台１の出力端子１５，１６が確実に接続する。
【００２９】
図１に戻り、充電器判定部１７は、入力端子１３，１４間のＵＳＢ充電規格で規定された２００Ω以下での短絡を検出することで、ＵＳＢ充電器１１０の接続を判定する。すなわち、充電台１にＵＳＢ充電器１１０が接続されると、充電台１の入力端子１３，１４間にＵＳＢ充電器１１０の抵抗１０６が介挿されてその抵抗値に応じた電流が流れる。この電流が流れることで、充電器判定部１７はＵＳＢ充電器１１０が接続されていると判定する。抵抗１０６には２００Ω以下のものが用いられるので、ＵＳＢ充電器１１０が接続された場合に、充電台１の入力端子１３，１４間が２００Ω以下で短絡された状態となる。接続通知部１８は、充電器判定部１７がＵＳＢ充電器１１０の接続を判定した場合にその旨を携帯端末５０に伝える。この場合、携帯端末５０への伝達は機械的に行われる。
【００３０】
図３は、充電台１の具体的な回路構成の一例を示す図である。充電器判定部１７は、ＰチャネルＦＥＴ１７１と、抵抗１７２とから構成され、接続通知部１８は、押釦スイッチ１８１と、抵抗１８２と、電磁石１８３とから構成される。充電器判定部１７のＦＥＴ１７１は、ソース（Ｓ）が入力端子１１に接続されるとともに抵抗１７２を介してゲート（Ｇ）に接続され、ドレイン（Ｄ）が接続通知部１８の押釦スイッチ１８１の一端に接続される。また、ゲート（Ｇ）が入力端子１２に接続される。入力端子１２に隣接する入力端子１３は接地されており、この入力端子１３と、ゲート（Ｇ）が接続された入力端子１２との間にＵＳＢコネクタ１０１の抵抗１０６が介挿されることになる。充電器判定部１７においては、入力端子１３、１４の間にＵＳＢコネクタ１０１の抵抗１０６が介挿されることで、ＦＥＴ１７１のゲート（Ｇ）に電圧が印加され、これによりドレイン（Ｄ）−ソース（Ｓ）間に電流が流れる。要するにスイッチオン状態となる。
【００３１】
接続通知部１８の押釦スイッチ１８１は、充電台１に携帯端末５０が置かれたことを検出するものであり、携帯端末５０が置かれることでオン状態（閉状態）になる。前述したように、充電台１は携帯端末５０のみを収容できる構造になっているため、携帯端末５０が充電台１に収容された場合にのみ押釦スイッチ１８１がオン状態になる。この押釦スイッチ１８１は、携帯端末５０が収容されない状態で不用意に電磁石１８３を通電しない効果がある。この押釦スイッチ１８１がオン状態となると、電磁石１８３に通電が行われて磁力が発生し、携帯端末５０に設けられた機械スイッチ５３の金属板５３ａが充電台１側に吸引されて、携帯端末５０に設けられた機械スイッチ５３がオン状態となる。これにより、ＵＳＢ充電器１１０の接続判定が携帯端末５０に通知される。なお、電磁石１８３が通電されたままで構わないのであれば、押釦スイッチ１８１はなくてもよい。電磁石１８３を、充電台３に携帯端末５０が収容された場合にのみ金属板５３ａと近接するような位置に配置すれば、充電台３が対象としない携帯端末５０が充電台３によって充電されてしまうことを防ぐことができる。 すなわち、携帯端末５０が、自身に対応しない充電台３に置かれた場合に誤って充電を許可してしまうことを防ぐことができる。
【００３２】
図１に戻り、携帯端末５０には、入力端子５１，５２、機械スイッチ５３、検出部５４、充電許可部５５、スイッチ５６及び充電池５７が設けられている。機械スイッチ５３は、前述したように、金属板５３ａが可動することで図示せぬ接点が閉状態となるものである。検出部５４は、機械スイッチ５３の接点が閉状態となったことを検出する。充電許可部５５は、機械スイッチ５３の接点が閉状態となったことが検出部５４で検出された場合にスイッチ５６をオン状態（閉状態）にし、充電池５７への充電を許可する。
【００３３】
以上のような構成において、ＵＳＢ充電器１１０を充電台１に接続すると、充電台１の充電器判定部１７がＵＳＢ充電器１１０の接続を判定する。充電器判定部１７がＵＳＢ充電器１１０の接続を判定すると、接続通知部１８が機械的なスイッチ手段にて携帯端末５０にＵＳＢ充電器１１０の接続判定を通知する。携帯端末５０では、充電台１からＵＳＢ充電器１１０の接続判定の通知を受けると、充電許可部５５がスイッチ５６をオン状態にして充電池５７への充電を開始する。
【００３４】
このように本実施の形態の充電台１によれば、ＵＳＢ充電規格の通信用端子（Ｄ−，Ｄ＋）の通電状態を検出することで、ＵＳＢ充電器１１０の接続判定を行う充電器判定部１７と、充電器判定部１７がＵＳＢ充電器１１０の接続を判定した場合にその旨を機械的に携帯端末５０に伝える接続通知部１８とを備えたので、ＵＳＢ充電器１１０の接続判定を可能にしながらも充電台１と携帯端末５０の双方で通信用の端子（Ｄ−，Ｄ＋）を省くことができ、これによりコストの削減や小型化が可能となり、さらにデザイン的にも良くすることができる。また、本実施の形態では、接続通知部１８が、充電台３に携帯端末５０が置かれた場合に、携帯端末５０内の金属板５３ａと近接する位置に配置された電磁石等で構成される。これにより、携帯端末５０が、自身と対応しない充電台３に設置されたとしても、充電を許可しないようにすることができ、携帯端末５０に対して異常な充電が発生することを防止できる。このようにしている理由は以下の通りである。本実施の形態のように、正規の充電器が接続されたか否かの判定を充電台に一任すると、携帯端末５０自身が最終的な判定を行う場合と比べて判定結果の信頼性が下がる。そこで、接続通知部１８を工夫することによって充電台と携帯端末が互いに対応する組み合わせでない限り、充電台が充電を許可すると判定したとしても、携帯端末の充電が開始しないようにしている。これにより、判定結果の信頼性をあげることが可能となっている。
【００３５】
（実施の形態２）
図４は、本発明の実施の形態２に係る充電台の概略構成と携帯端末の概略構成及びＡＣアダプタに接続されたＵＳＢコネクタの概略構成を示す図である。なお、同図において前述した図１及び図６と共通する部分には同一の符号を付けている。
【００３６】
前述した実施の形態１の充電台１は、ＵＳＢ充電器１１０の接続判定を機械的に携帯端末５０に伝えるものであったが、本実施の形態の充電台２は、ブルートゥースやフェリカなどの近距離無線通信技術を利用してＵＳＢ充電器１１０の接続判定を携帯端末５０に伝えるものである。
【００３７】
充電台２の無線通信部（第１の通信部）２１は、充電器判定部１７がＵＳＢ充電器１１０の接続を判定することで、接続判定を無線信号で送信する。携帯端末６０は、充電台２の無線通信部２１と通信を行う無線通信部（第２の通信部）６１と、無線通信部６１で受信された信号から接続判定を検出する検出部６２と、検出部６２で接続判定が検出された場合にスイッチ５６をオン状態にして充電池５７への充電を許可する充電許可部６３とを有している。
なお、送信する無線信号は、充電台に対応する携帯端末でのみ、接続判定の信号であることが認識できるようにすることが望ましい。具体的には、充電台と携帯端末のそれぞれに、暗号化／復号に用いる鍵の組み合わせを予め記憶させておき、充電台と携帯端末の組み合わせが正しい場合にのみ、接続判定の信号を復号できるよう暗号化することなどが考えられる。これにより、充電台と携帯端末との組み合わせが正しくない場合にまで、充電が始められてしまう危険性を減らすことができる。このようにすれば、判定結果の信頼性をあげることが可能となる。
【００３８】
以上のような構成において、ＵＳＢ充電器１１０を充電台２に接続すると、充電台２の充電器判定部１７がＵＳＢ充電器１１０の接続を判定する。充電器判定部１７がＵＳＢ充電器１１０の接続を判定することで、無線通信部２１が携帯端末６０へＵＳＢ充電器１１０の接続判定を送信する。携帯端末６０では、無線通信部６１の受信信号から検出部６２が接続判定を検出し、接続判定が検出されることで、充電許可部６３がスイッチ５６を閉状態にして充電池５７への充電を開始する。
【００３９】
このように本実施の形態の充電台２によれば、ＵＳＢ充電規格の通信用端子（Ｄ−，Ｄ＋）の通電状態を検出することでＵＳＢ充電器１１０の接続判定を行う充電器判定部１７と、充電器判定部１７がＵＳＢ充電器１１０の接続を判定した場合に接続判定を無線送信する無線通信部２１とを備えたので、ＵＳＢ充電器１１０の接続判定を可能にしながらも充電台２と携帯端末６０の双方で通信用の端子（Ｄ−，Ｄ＋）を省くことができ、これによりコストの削減や小型化が可能となり、さらにデザイン的にも良くすることができる。
【００４０】
なお、本実施の形態では、充電台２から携帯端末６０への接続判定の伝送に無線を利用したが、無線を利用する以外に”光”や”音”を利用した通信も可能である。例えば、充電台２側に発光ダイオード等の光源を設けて光で接続判定の伝送を行い、その光を携帯端末６０のカメラで撮影して接続判定を取り込む。また、携帯端末６０に赤外線受信機がある場合、充電台２側に赤外線送信機を設け、接続判定の伝送を行う構成も可能である。また、充電台２側にスピーカを設けて音で接続判定の伝送を行い、その音を携帯端末のマイクで集音して接続判定を取り込む。
なお、光を使用する場合には、充電台に設ける発光部は、その充電台に対応する携帯端末の受光部に、近接する位置に配置されることが望ましい。これにより、充電台と携帯端末との組み合わせが正しくない場合にまで、充電が始められてしまう危険性を減らすことができる。このようにすれば、判定結果の信頼性をあげることが可能となる。
また、音声を使用する場合には、充電台に対応する携帯端末でのみ接続判定の信号を示す音声であることが認識できるようにすることが望ましい。具体的には、音声のパターンを充電台と携帯端末の組み合わせ毎に定めておき、携帯端末は、その音声のパターンが検出できた場合に充電を開始する。このようにすれば、判定結果の信頼性をあげることが可能となる。
【００４１】
（実施の形態３）
図５は、本発明の実施の形態３に係る充電台の概略構成と携帯端末の概略構成及びＡＣアダプタに接続されたＵＳＢコネクタの概略構成を示す図である。なお、同図において前述した図１及び図６と共通する部分には同一の符号を付けている。
【００４２】
前述した実施の形態１，２の充電台１，２は、携帯端末５０，６０にＵＳＢ充電器１１０の接続判定を与えるのみで、充電許可は携帯端末５０，６０側が行うものであったが、本実施の形態の充電台３は、ＵＳＢ充電器１１０の接続判定及び充電許可の両方を行うものである。
【００４３】
本実施の形態の充電台３は、入力端子１１〜１４、出力端子１５，１６及び充電判定部１７の他に、充電許可部３１とスイッチ３２を有している。スイッチ３２は入力端子１１と出力端子１５との間のＶ＿ＢＵＳライン上に介挿され、このスイッチ３２を充電許可部３１がオン、オフ制御する。充電許可部３１は、充電器判定部１７がＵＳＢ充電器１１０の接続を判定すると、スイッチ３２をオン状態にして携帯端末７０へ充電電圧を供給する。
【００４４】
携帯端末７０は、入力端子５１，５２、充電池５７及び押釦スイッチ７３を有している。入力端子５２はグランドに接地されている。入力端子５１は押釦スイッチ７３を介して充電池５７の正極側に接続されている。押釦スイッチ７３は、押すごとにオン状態とオフ状態が交互に切り替わるものである。携帯端末７０のユーザは、携帯端末７０の充電を行うときに押釦スイッチ７３を押してオン状態にし、充電が終わったときには押釦スイッチ７３を再度押してオフ状態に戻す。この押釦スイッチ７３を設けることで不用意に充電が行われるのを防止することができる。
【００４５】
また、この押釦スイッチ７３は、充電台３を携帯端末７０のみを収容できる構造にしておくことで、携帯端末７０が充電台３に収容された場合にのみ押釦スイッチ７３をオン状態にすることもできる。更 には、本実施の形態の充電判定部１７による判定に従って充電を行うか否かをユーザが携帯電話７０のメニューから設定することができるようにしてもよい。この場合、例えば、押釦スイッチ７３に変わるスイッチのオン／オフをソフトウェアから制御できるようにしたり、押釦スイッチ７３が押されてもソフトウェアによって充電を許可しない設定がなされている場合には充電を拒否する。本実施の形態では、実施の形態１及び２と異なり、充電台と携帯端末とが正しく対応するものでなくとも充電が開始される恐れがある。そのため、実施の形態１及び２と比べて、携帯端末に異常充電が行われる可能性が高い。このような事情から、本実施の形態では、押釦スイッチ７３（もしくはそれに代わるスイッチ）をオンにするか否かを携帯端末７０から設定することにすることで、ユーザが明示的に本実施の形態の形での判定を許可するようにすることが有用である。
【００４６】
なお、実施の形態１や２のような他の判定手法向けの構成を充電台３および携帯端末７０に設け、本実施の形態の判定を許可しない場合には、それら他の判定手法が適用されるようにしてもよい。
【００４７】
なお、実施の形態１および２では、充電を許可するか否かの判定は携帯端末７０内で行われるため、これらの実施形態の判定手法への切替が行われた場合、押釦スイッチ７３は常時オンにしておく。 また、他の実施の形態においてもソフトウェアによって充電を許可する否かを設定可能としたり、判定手法を切り替えられるようにしてもよい。
【００４８】
以上のような構成において、ＵＳＢ充電器１１０を充電台３に接続すると、充電台３の充電器判定部１７がＵＳＢ充電器１１０の接続を判定する。充電器判定部１７がＵＳＢ充電器１１０の接続を判定することで、充電許可部３１がスイッチ３２をオン状態にして携帯端末７０へ充電電圧を供給する。
【００４９】
このように本実施の形態の充電台３によれば、ＵＳＢ充電規格の通信用端子（Ｄ−，Ｄ＋）の通電状態を検出することでＵＳＢ充電器１１０の接続判定を行う充電器判定部１７と、充電器判定部１７がＵＳＢ充電器１１０の接続を判定した場合にＶ＿ＢＵＳラインに介挿したスイッチ３２をオン状態にして携帯端末７０へ充電電圧を供給する充電許可部３１とを備えたので、ＵＳＢ充電器１１０の接続判定を可能にしながらも、充電台３と携帯端末７０の双方で通信用の端子（Ｄ−，Ｄ＋）を省くことができ、これによりコストの削減や小型化が可能となり、さらにデザイン的にも良くすることができる。
【００５０】
なお、ＵＳＢ充電規格による充電は、上述した携帯端末５０，６０，７０のみならず充電池を使用可能な様々な電子機器に用いることができる。また、上述した各実施の形態に係る技術的思想は、充電用のラインと認証用のラインを持つ他の充電方式にも適用可能である。各実施の形態で述べたＵＳＢ充電規格や端子の数は、これらの技術的思想が適用できるケースの一例に過ぎない。
【産業上の利用可能性】
【００５１】
本発明に係る充電台は、ＵＳＢ充電器の接続判定を可能にしながらも電子機器との間で使用する端子の数を削減することができるといった効果を有し、充電池の使用が可能な全ての電子機器への適用が可能である。
本発明に係る電子機器は、電子機器において通信ライン（Ｄ＋，Ｄ−）の端子が不要となるので、コストの削減や小型化が可能となり、さらにデザイン的にも良くすることができるといった効果を有し、充電池の使用が可能な全ての電子機器への適用が可能である。
【符号の説明】
【００５２】
１、２、３  充電台
１１〜１４、５１、５２  入力端子
１５、１６、１０２〜１０５  出力端子
１７  充電器判定部
１８  接続通知部
２１、６１  無線通信部
５０、６０、７０  携帯端末
５３  機械スイッチ
５３ａ  金属板
５４、６２  検出部
３１、５５、６３  充電許可部
５６  スイッチ
５７  充電池
７３  スイッチ
１００  ＡＣアダプタ
１０１  ＵＳＢコネクタ
１０６、１７２、１８２  抵抗
１１０  ＵＳＢ充電器
１７１  ＰチャネルＥＦＴ
１８１  押釦スイッチ
１８３  電磁石
【図１】
2011217513.tif 000003
【図２】
2011217513.tif 000004
【図３】
2011217513.tif 000005
【図４】
2011217513.tif 000006
【図５】
2011217513.tif 000007
【図６】
2011217513.tif 000008
【図７】
2011217513.tif 000009
【図８】
2011217513.tif 000010
【図９】
2011217513.tif 000011